(57)【要約】【課題】トレッド部材の押圧中にその圧力を変更することで、トレッド部材の形状や剛性の変化に対応した適正な圧力でステッチングを行う。【解決手段】赤道面の厚さが幅方向端部の厚さよりも大であるトレッド部材ＴＲをタイヤ中間体に装着する工程と、装着したトレッド部材ＴＲに押圧ローラ１０を所定の圧力で押し当て、かつ押圧ローラ１０をタイヤ幅方向に移動してステッチングするステッチング工程と、を有するトレッド部材のステッチング方法であって、前記ステッチング工程において、押圧ローラ１０のトレッド部材ＴＲを押圧する圧力を、前記トレッド部材ＴＲの赤道面とその他の領域とで変更する。【選択図】          図４
2014012342.tif 000002
【特許請求の範囲】
【請求項１】
赤道面の厚さが幅方向端部の厚さよりも大であるトレッド部材をタイヤ中間体に装着する工程と、
装着したトレッド部材に押圧体を所定の圧力で押し当て、かつ押圧体をタイヤ幅方向に移動してステッチングするステッチング工程と、を有し、
前記ステッチング工程において、押圧体のトレッド部材を押圧する圧力を、前記トレッド部材の赤道面とその他の領域とで変更するトレッド部材のステッチング方法。
【請求項２】
請求項１に記載されたトレッド部材のステッチング方法において、
赤道面での押圧体の圧力をそれ以外の領域での圧力よりも大きくしたトレッド部材のステッチング方法。
【請求項３】
請求項１又は２に記載されたトレッド部材のステッチング方法において、
トレッド端からトレッド部材端までの領域におけるステッチングを、トレッド部材の赤道面のトレッド端までの領域におけるステッチング圧力の６０〜９０％にしたトレッド部材のステッチング方法。
【請求項４】
請求項１ないし３のいずれかに記載されたトレッド部材のステッチング方法において、
トレッド端からトレッド部材端までの領域において、トレッド部材の厚さに応じて押圧体からトレッド部材に印加する圧力をさらに変更するトレッド部材のステッチング方法。
【請求項５】
請求項１ないし４のいずれかに記載されたトレッド部材のステッチング方法において、
圧力の変更は、トレッド部材の剛性の変化に合わせて連続して行うトレッド部材のステッチング方法。
【請求項６】
請求項１ないし５のいずれかに記載されたトレッド部材のステッチング方法において、
前記ステッチング工程は、半径内外側に少なくとも２枚のベルトを備えたタイヤ中間体にトレッド部材をステッチングする工程であり、
前記トレッド部材をステッチングする工程において、トレッド部材の最外側ベルト端に対応する位置、外側ベルトの幅方向外方の内側ベルト端に対応する位置において、前記押圧体の圧力を変更するトレッド部材のステッチング方法。
【請求項７】
請求項６に記載されたトレッド部材のステッチング方法において、
タイヤ中間体の最外側ベルト上にあるトレッド部材の領域における押圧体の圧力を、最内側ベルト上にあるトレッド部材の領域における押圧体の圧力よりも大きくしたトレッド部材のステッチング方法。
【請求項８】
請求項１ないし７のいずれかに記載されたトレッド部材のステッチング方法において、
前記トレッド部材は周方向に端部がない円環状トレッドであるトレッド部材のステッチング方法。
【請求項９】
タイヤ中間体に装着する赤道面の厚さが幅方向端部の厚さよりも大であるトレッド部材と、
タイヤ中間体に貼り付けたトレッド部材を押圧する押圧体と、
押圧体をタイヤ幅方向に押圧しながらトレッド部材の外形に沿って移動させる押圧体の移動機構と、
前記押圧体に圧力を付与する手段と、
前記押圧体がトレッド部材を押圧する圧力を前記トレッド部材の赤道面とその他の領域とで変更する圧力制御部と、を有するトレッド部材のステッチング装置。
【発明の詳細な説明】
【技術分野】
【０００１】
本発明は、タイヤの製造工程において、タイヤ中間体の外周に巻き付けられたトレッド部材の外周面を押圧してトレッド部材を圧着するためのトレッド部材のステッチング方法及びステッチング装置に関する。
【背景技術】
【０００２】
未加硫タイヤの製造において、成型ドラムのタイヤ構成部材を貼り付けた後、タイヤ構成部材をトロイダル状に変形させると共に、予め成型しておいたトレッド部材をグリーンケースの半径方向外側に貼り合わせ、押圧ローラにより前記トレッド部材を押圧して接合面のエアを逃がしながらグリーンケースにトレッド部材を貼り付けることでグリーンタイヤを成型する方法が知られている（特許文献１、２参照）。
【０００３】
また、更生タイヤの製造においては、バフ研磨した台タイヤの外周面に未加硫のクッションゴムシートを介して加硫済みの帯状ゴム部材であるプレキュアトレッド（Pre-Cured-Tread）をセットし、プレキュアトレッドを押圧ローラ（ステッチャー）で圧着しながらトレッドの幅方向内側から外側に向かって接合面のエアを逃がしながら接合を行うことも知られている（特許文献３）。
このように、従来から、タイヤの製造においては、トレッド部材をタイヤ中間体（ここではタイヤ構成部材や台タイヤなど、トレッド部材の被貼付体を総称してタイヤ中間体という）に装着した後、回転するタイヤ中間体に押圧ローラで押し付けて貼付を行っている。
【０００４】
ところで、タイヤを製造する場合に、従来は押圧ローラをトレッド部材に一定圧力で押圧し、その形状に合わせて移動させて圧着を行っている。ところが、トレッド部材は、図６にそのタイヤ中間体に装着前の断面図を示すように、赤道面の路面と接地する一定厚さの厚肉トレッド部分ＴＲ１（領域１）と、厚肉トレッド部分ＴＲ１のトレッド端ＴＲａにトレッド幅方向外側に向けて厚さが漸減する傾斜部分ＴＲ２（領域２）が設けられているのが一般的である。
【０００５】
図６から明らかなように、トレッド部材ＴＲの厚みは厚肉部分である厚肉トレッド部分ＴＲ１（領域１）と傾斜部分ＴＲ２（領域２）では異なり、領域２では領域１よりも小さい。また、前記領域２を、トレッド部材ＴＲのトレッド端ＴＲａとトレッド部材端ＴＲｂとを結ぶ線Ｌ１に対して、トレッド部材ＴＲの傾斜部分ＴＲ２の外郭線から降ろした垂線のうち最大長さの垂線Ｌ２と、前記傾斜部分ＴＲ２の外郭線との交点ＴＲｃで、トレッド端ＴＲａ側の領域を領域２（１）、トレッド部材端ＴＲｂ側の領域を領域２（２）としたとき、領域２（２）の厚みは領域２（１）のそれよりも更に小さくなっている。
したがって、トレッド部材ＴＲを押圧ローラで押圧したときの変形のし難さ、つまりその剛性は、前記領域２では前記領域１よりも小さく、領域２でも、領域２（２）は領域２（１）より更に小さい。
【０００６】
そのため、トレッド部材ＴＲを押圧ローラで押し付けてその下側のタイヤ中間体に貼り付ける場合、例えば厚肉トレッド部分ＴＲ１（領域１）に適合した圧力で傾斜部分ＴＲ２（領域２）を押し付けると、領域２ではゴムの剛性が相対的に小さいため、その圧力でタイヤが変形して目的とするタイヤ形状が得られず、また、タイヤ中間体とトレッド部材ＴＲ間に溜まったエアをうまく逃がすことができないという問題がある。
【０００７】
ところが、従来のトレッド部材ＴＲのステッチングにおいては、トレッド部材ＴＲの表裏面の形状変化、剛性の変化に対応させて圧力を調整するとの発想がなく、上記の問題は未解決のままである。
なお、特許文献１、２の未加硫タイヤの製造方法では、押圧ローラを用いてベルト、トレッド部材をタイヤ中間体に貼り付ける際、トレッド部材がベルトに重なり合っていない部位で、圧力によるせん断変形（又はカーカスコードの蛇行）が発生することに注目し、押圧ローラの移動を継続しながら、成型ドラムの回転方法を逆転させて、前記せん断変形又は押付による反力の影響を相殺することが提案されている。しかし、これは、トレッド部材ＴＲの形状変化や剛性の変化に対応させて圧力を変更するものではなく、前記課題を解決するものではない。
【先行技術文献】
【特許文献】
【０００８】
【特許文献１】特開２００６−７６１０２号公報
【特許文献２】特開２００５−２８０２５８号公報
【特許文献３】特開２００９−８６１号公報
【発明の概要】
【発明が解決しようとする課題】
【０００９】
本発明は、従来のトレッド部材をステッチングする場合において、トレッド部材の表裏面の形状変化や剛性の変化に伴う前記課題を解決すべくなされたものであって、その目的は、トレッド部材の押圧中にその押圧圧力を変更して、トレッド部材の形状や剛性の変化に対応した適正な圧力でステッチングを行い、圧力が強すぎて、ステッチング時にタイヤが変形したり、タイヤ中間体とトレッド部材間に溜まったエアが排気できないなどの問題を解決することである。
【課題を解決するための手段】
【００１０】
本願の発明は、赤道面の厚さが幅方向端部の厚さよりも大であるトレッド部材をタイヤ中間体に装着する工程と、装着したトレッド部材に押圧体を所定の圧力で押し当て、かつ押圧体をタイヤ幅方向に移動してステッチングするステッチング工程と、を有し、前記ステッチング工程において、押圧体のトレッド部材を押圧する圧力を、前記トレッド部材の赤道面とその他の領域とで変更するトレッド部材のステッチング方法である。
本願の他の発明は、タイヤ中間体に装着する赤道面の厚さが幅方向端部の厚さよりも大であるトレッド部材と、タイヤ中間体に貼り付けたトレッド部材を押圧する押圧体と、押圧体をタイヤ幅方向に押圧しながらトレッド部材の外形に沿って移動させる押圧体の移動機構と、前記押圧体に圧力を付与する手段と、前記押圧体がトレッド部材を押圧する圧力を前記トレッド部材の赤道面とその他の領域とで変更する圧力制御部と、を有するトレッド部材のステッチング装置である。
【発明の効果】
【００１１】
本発明によれば、押圧体を移動するときに、トレッド部材の表裏面の形状や剛性を考慮して圧力を変更しながらステッチングするため、トレッド部材の圧着不足を生じず狙いどおりの圧着ができると共に、タイヤの変形を防止しかつ層間に取り込まれたエアを確実に排気することができる。
【図面の簡単な説明】
【００１２】
【図１】本発明の実施形態に係るステッチング装置を模式的に示す平面図である。
【図２】本実施形態において押圧ローラの移動を制御し、かつ移動中の押圧ローラに印加する圧力を制御する制御部の構成を示す機能ブロック図である。
【図３】押圧ローラに印加する圧力を定めたテーブルの一例を示す図である。
【図４】ステッチング中に押圧ローラの圧力を変更する様子を説明する図である。
【図５】ベルトを備えたタイヤ中間体の断面図である。
【図６】タイヤ中間体に装着前のトレッド部材の断面図である。
【発明を実施するための形態】
【００１３】
次に、本発明のステッチング装置の実施形態について図面を参照して説明する。
図１は、本発明の実施形態に係るステッチング装置を模式的に示す平面図である。
本発明の実施形態に係るステッチング装置１は、図示のように、タイヤ成型機の成型ドラムＤ上に装着されたタイヤ構成部材（以下タイヤ中間体ＭＴという）にトレッド部材ＴＲを圧着するための一対の押圧体、例えば押圧ローラ１０と、トレッド部材ＴＲをタイヤ中間体ＭＴに圧着するために押圧ローラ１０に圧力を付与する圧力付与手段（ここでは、一対のエアシリンダ）２０と、このエアシリンダ２０を固定したベースプレート３０と、支持フレーム４０に両端が回転自在に支承され、ベースプレート３０を旋回自在に図中左右に移動させる一対のネジ杆４２と、このネジ杆４２を回転駆動するサーボモータ（以下単にモータという）Ｍ１、Ｍ２と、ネジ杆４２を支承した支持フレーム４０全体を成型ドラムに向かって移動させる移動機構とから成っている。
【００１４】
エアシリンダ２０は、それぞれベースプレート３０に固定されており、ベースプレート３０のエアシリンダ２０の取付面の裏面には、例えば一対の第１のボールナット（図示せず）が旋回自在に取り付けられている。この第１のボールナットは前記一対のネジ杆４２にそれぞれ螺合されており、ネジ杆４２には上述のようにそれぞれ独立したモータＭ１、Ｍ２が連結されている。モータＭ１、Ｍ２を回転するとネジ杆４２が所定角度回転し、これに螺合した第１のボールナットを介してベースプレート３０が移動する。ここで一対のネジ杆４２の回転速度に相対速度差を設けると、ベースプレート３０はタイヤ中間体ＭＴに貼り付けたトレッド部材ＴＲに対してその移動する距離に差ができるため揺動、つまり成型ドラムＤ（したがってトレッド部材ＴＲ）の回転軸に対して必要とする所定の範囲で傾斜させることができる。
【００１５】
以上は、押圧ローラ１０の成型ドラムＤの回転軸に平行な移動を行うための移動機構である。次に、成型ドラムＤの回転軸（幅方向）に対して押圧ローラ１０を垂直方向に接近及び離間させる移動機構について説明する。
この移動機構は押圧ローラ１０を含む押付機構全体をトレッド部材ＴＲに対して接離させる機構であり、不動の支持プレート５０と、支持フレーム４０をこの不動の支持プレート５０に対して移動させるときに案内する一対のガイドロッド５２と、これら一対のガイドロッド５２の中間に配置され、支持プレート５０を駆動するネジ杆５４とを備えている。
【００１６】
支持プレート５０には、図中左右にそれぞれガイドロッド５２が貫通する貫通穴を備えた一対の環状の案内支持体５６と、その一対の案内支持体５６の中間にネジ杆５４に螺合した第２のボールナット６０が取り付けられている。
第２のボールナット６０には一体にスプロケット６２が取り付けられており、スプロケット６２と、支持プレート５０に取り付けたモータＭ３の回転軸杆に取り付けたスプロケット６６間にはチェーン６４が掛け渡されている。
【００１７】
以上の構成において、モータＭ３を回転させると、ネジ駆動機構（スプロケット６６、チェーン６４、スプロケット６２）を介してその回転が第２のボールナット６０に伝達され、第２のボールナット６０が回転すると支持プレート５０がネジ杆５４に沿って一対のガイドロッド５２に案内されてトレッド部材ＴＲの回転軸に対して垂直方向に、つまりタイヤ中間体ＭＴに貼り付けたトレッド部材ＴＲに対して接近又は離間するように移動する。これにより支持フレーム４０上の押圧手段であるエアシリンダ２０及び押圧ローラ１０も同じ方向に移動する。
【００１８】
本ステッチング装置１によれば、成型ドラムＤの回転軸の方向つまりその幅方向と、垂直な方向つまりそれに接近又は離間する移動を組み合わせることにより、押圧ローラ１０をトレッド部材ＴＲの表面に対して常に直角に当接しつつ押圧ローラ１０を移動させることができる。
なお、支持プレート５０の移動機構や押圧ローラ１０の移動機構は、他の公知又は周知の構成を利用することができる。例えば、支持プレート５０の移動機構としては、ネジ杆５４に代えてシリンダ機構で構成してもよく、或いはラックピニオン機構を用いてもよい。
【００１９】
ところで、図６に関して既に述べたように、トレッド部材ＴＲの厚肉トレッド部分ＴＲ１はほぼ一定の厚さを有するが、トレッド端ＴＲａから外側の部分は先に行くにしたがって厚さが薄くなるように断面形状が変化する。また、その断面形状によりゴムの剛性が変化する。そのため、トレッド部材ＴＲを常に一定の圧力で押圧すると、そのトレッド端ＴＲａからトレッド部材端ＴＲｂの部分では圧力が強くなりすぎ、タイヤが変形しエア抜きができないという問題が生じる。
【００２０】
逆に、トレッド部材ＴＲの厚肉トレッド部分ＴＲ１をトレッド端ＴＲａから先の部分を押圧するに適合した圧力で押圧すると、厚肉トレッド部分ＴＲ１ではトレッド部材ＴＲの剛性が相対的に高いため、圧力不足が生じ、貼付が十分に行われない。
そこで、その解決策として、ここでは、押圧ローラ１０に付加する圧力について、トレッド部材ＴＲのトレッドの中心から左右のトレッド端ＴＲａまでの領域１における圧力を、その他の領域、即ちトレッド端ＴＲａからトレッド部材ＴＲのトレッド部材端ＴＲｂまでの領域２では減圧して、領域１及び２において、圧力が過大にも過小にもならないようにしている。
【００２１】
その両者のバランスは、領域１における圧力を１００としたときに、領域２における圧力を、トレッド部材ＴＲの形状構造を考慮して、６０〜９０にすること（つまり６０〜９０％）で、トレッド部材ＴＲの剛性変化に対応して成型するタイヤを変形させることなくトレッド部材ＴＲを確実に張り付けることができ、エアの排気も円滑に行えることが分かった。
本実施形態において、この圧力の調整は本ステッチング装置１の制御部により、エアシリンダ２０内のエアの圧力を制御することにより行う。
【００２２】
次に、本ステッチング装置１の制御部について説明する。
図２は、本実施形態において押圧ローラ１０の移動を制御し、かつ移動中の押圧ローラ１０に印加する圧力を制御する制御部１００の構成を示す機能ブロック図である。
制御部１００は、ＣＰＵ（Central Processing Unit）１０１とＲＯＭ(Read Only Memory)１０２とＲＡＭ(Random Access Memory)１０３とから成るコンピュータを備え、かつ、それぞれＣＰＵ１０１とバスＢにより接続された、例えば、ＮＶＲＡＭ（Non-Volatile Random Access Memory）から成る記憶部１０４と、モータＭ１〜Ｍ３を制御するモータ制御部１０５と、押圧ローラ１０のトレッド部材ＴＲ上の押付位置に応じてエアシリンダ２０の圧力供給源１０６ａを制御する圧力制御部１０６と、それぞれのモータＭ１〜Ｍ３の回転量を計測するロータリーエンコーダ等の計測器に接続されて、モータＭ１〜Ｍ３の回転量情報をＣＰＵ１０１に伝えるＩ／Ｏ（入出力）部１０９と、データの入力や設定の変更などを行うための操作部１０７と、入力の結果などを表示する表示部１０８と、を備えている。
【００２３】
ＣＰＵ１０１は、ＲＯＭ１０２に格納されたプログラムを読み出してＲＡＭ１０３に展開し、ＲＡＭ１０３または記憶部１０４に記憶されたデータを用いてプログラムを実行し、押圧ローラ１０を駆動制御する。即ち、モータ制御部１０５は前記各モータＭ１〜Ｍ３の回転量を制御して、押圧ローラ１０の成型ドラムＤの回転軸に平行な方向及び垂直な方向における移動制御と回転角度を制御して、押圧ローラ１０をトレッド部材ＴＲの表面に対して常に垂直に当接させながら、トレッド部材ＴＲの厚肉トレッド部分ＴＲ１からトレッド部材端ＴＲｂに向かって移動させる。またそれと共に、圧力制御部１０６は、押圧ローラ１０に圧力を付与するエアシリンダ２０に供給するエア圧力を制御して、トレッド部材ＴＲの剛性及び形状の変化に対応した適正な圧力を押圧ローラ１０に付与する制御を行う。
【００２４】
これらの制御を行うため、特定の形状及びサイズのタイヤのトレッド部材ＴＲの中央からトレッド端ＴＲａまでの領域１と、トレッド端ＴＲａとトレッド部材端ＴＲｂまでの領域２と、更に、トレッド部材ＴＲの貼り付ける前の断面（図６参照）を前記領域２（１）と領域２（２）に分け、それぞれの領域２（１）、２（２）における押圧ローラ１０の圧力を予め定めておき、例えば図３に示すようなテーブルを作成しておく。
【００２５】
ＣＰＵ１０１は、前記モータＭ１〜Ｍ３の回転量を例えばモータ軸に装着したロータリーエンコーダからＩ／Ｏ部１０９を介して取得し、押圧ローラ１０がトレッド部材ＴＲの領域１からスタートしてからの前記各モータＭ１〜Ｍ３の回転量を求め、この回転量から押圧ローラ１０が次の領域２（２（１），２（２））に達したか否かを判定する。記憶部１０４はトレッド部材ＴＲの各領域において、押圧ローラ１０がトレッド部材に印加すべき圧力を定めた前記テーブルを記憶する。
【００２６】
次に、制御部１００による押圧ローラ１０による圧力制御についてさらに説明する。
図４は、ステッチング中に押圧ローラ１０の圧力を変更する様子を説明する図である。なお、図４に示すステッチング装置１は、簡略化のため支持プレート５０の移動機構等は省略している。
図４において、成型ドラムＤの回転軸と垂直に配置した押圧ローラ１０を、一定速度で回転するトレッド部材ＴＲの中央部に当接させると、押圧ローラ１０はトレッド部材ＴＲの回転に従動して回転する。その際、圧力制御部１０６は、記憶部１０４に格納されている前記テーブルから、領域１の圧力（ここでは０．４ＭＰａ（メガパスカル））を読み出し、圧力供給源１０６ａを制御してシリンダに０．４ＭＰａのエア圧を供給する。
【００２７】
モータ制御部１０５は、次にモータＭ１、Ｍ２を等速回転して押圧ローラ１０を図中左右に等速移動させてステッチングを行う。ＣＰＵ１０１は、ロータリーエンコーダにより計測されるモータＭ１、Ｍ２の回転量を常に監視し、それらの回転量が予め定めた所定量に達したとき、押圧ローラ１０が領域２つまりトレッド端ＴＲａに達したと判断する。
【００２８】
押圧ローラ１０がそれぞれトレッド端ＴＲａに到達すると、モータ制御部１０５は、タイヤの形状に合わせて、押圧ローラ１０のトレッド部材ＴＲ（従ってタイヤ）の回転軸に対する角度を変更し、かつ圧力制御部１０６は、押圧ローラ１０の印加圧力を前記テーブルから読み出した第２の圧力（０．３ＭＰａ）に変更する。
さらに、圧力制御部１０６は、押圧ローラ１０が前記交点ＴＲｃに達したところで、前記テーブルから読み出した第３の圧力（０．２５ＭＰａ）に変更する。
【００２９】
本実施形態によれば、押圧ローラ１０を移動させながら、トレッド部材ＴＲの表裏面の形状変更に合わせて、つまり、その剛性の変化に合わせて圧力を調整することができる。そのため、トレッド部材全体にわたり圧着不足が発生せずに貼付が行えると共に、タイヤを変形することなく、タイヤ中間体ＭＴとトレッド部材ＴＲ間に溜まったエアを効果的に排気することができる。
なお、本実施形態では第３の前記交点で圧力を変更しているが、これに限らず、トレッド部材の厚さの変更に合わせて適宜変更箇所を設定することができ、その変更点の数も制限されない。
【００３０】
以上の説明は、専らトレッド部材ＴＲの厚さに基づく剛性の変化に注目してその対応策について行った。しかし、押圧ローラ１０で押圧したときのトレッド部材ＴＲの剛性はこれのみに限らず、その下地の影響を受ける。例えば、タイヤ中間体がベルトを備えている場合は、当然そのベルトの影響を受ける。そこで、このような場合において、押圧ローラ１０に付与する圧力の変更について説明する。
図５は、ベルトを備えたタイヤ中間体の断面図を示す。
この実施形態では、タイヤ中間体のトレッド部材ＴＲの貼付面には、図示のように少なくとも２枚のベルトＢ１、Ｂ２がタイヤ中間体の半径方向内外側に重ねて巻回されている。トレッド部材ＴＲがベルトＢ１及びＢ２に当接することで押圧ローラ１０から作用される圧力に対する剛性が増す。この場合、ベルトＢ１とＢ２が存在する領域と、ベルトＢ２のみが存在する領域では剛性に差異が生じる。
【００３１】
そこで、本実施形態では、ベルトＢ１、Ｂ２端に対応して、中央から最外側のベルトＢ１端までの領域（ベルトＢ１とＢ２とが存在する）で作用させる圧力を相対的に高く、最外側のベルトＢ１端から内側のベルトＢ２端までの領域（ベルトＢ２のみが存在する）で作用させる圧力は相対的に低く設定する。
実際の圧力値は、使用するベルトにより実験などに基づき設定すればよい。
このようにすることで、トレッド部材ＴＲの下層にベルトを設ける構成においても、押圧ローラ１０により押圧方向におけるトレッド部材ＴＲの剛性の変化に合わせた圧力を印加することができ、貼付及びエア抜きをスムーズに行うことができる。
【００３２】
なお、以上の実施形態の説明では、圧力の変更はトレッド部材ＴＲの特定の箇所で段階的に行うものとして説明したが、トレッド部材ＴＲの剛性が変化する部分では、図６に示すトレッド部材ＴＲの断面形状の場合は、傾斜部分ＴＲ２では幅方向先端に行くほど厚さが小さくなるよう構成されており、この場合、その剛性は連続的に変化する。
したがって、トレッド部材ＴＲがこのような断面形状を有する場合は、前記傾斜部分ＴＲ２における押圧ローラ１０の圧力を、その傾斜に合わせて連続的に変更することが好ましい。例えば、図４の例では、トレッド端ＴＲａで圧力を０．４ＭＰａから０．３ＭＰａ、０．３ＭＰａから０．２５ＭＰａに段階的に変更するのではなく、トレッド部材の厚さの変化に合わせて０．４ＭＰａから０．３ＭＰａに、さらに０．３ＭＰａから０．２５ＭＰａに連続的に変更していくのが好ましい。なお、この場合の０．３ＭＰａ、０．２５ＭＰａはそれぞれの領域における平均圧力となる。
【００３３】
また、以上では、未加硫トレッド部材ＴＲの貼付に例を採ってステッチング装置及びステッチング方法を説明したが、上述のステッチング装置及びステッチング方法は、更生タイヤの製造時におけるステッチングにも適用可能である。
即ち、円環状のトレッド、即ち帯状ゴム部材の両端を予め接合し、これを円環状のモールド内で加硫して、所定の寸法の内径を有するいわゆる円環状トレッドを台タイヤのクラウン部の外周に嵌め合わせて貼り付ける場合、その貼付時にはエアが入り易いため、本ステッチング装置及びステッチング方法を適用して円環状トレッドの剛性の変化に応じて、押圧ローラの圧力を調整することでエア抜きをスムーズに行うことができる。
【符号の説明】
【００３４】
１・・・ステッチング装置、１０・・・押圧ローラ、２０・・・エアシリンダ、３０・・・ベースプレート、４０・・・支持フレーム、４２・・・・ネジ杆、５０・・・支持プレート、５２・・・ガイドロッド、５４・・・ネジ杆、６０・・・第２のボールナット、６２・・・スプロケット、６４・・・チェーン、１００・・・制御部、１０１・・・ＣＰＵ、１０２・・・ＲＯＭ、１０３・・・ＲＡＭ、１０４・・・記憶部、１０５・・・モータ制御部、１０６・・・圧力制御部、１０６ａ・・・圧力供給源、１０７・・・操作部、１０８・・・表示部、Ｄ・・・成型ドラム、ＭＴ・・・タイヤ中間体、Ｍ１、Ｍ２、Ｍ３・・・モータ、ＴＲ・・・トレッド部材。
【図１】
2014012342.tif 000003
【図２】
2014012342.tif 000004
【図３】
2014012342.tif 000005
【図４】
2014012342.tif 000006
【図５】
2014012342.tif 000007
【図６】
2014012342.tif 000008